(57)【要約】本発明は、密閉型の歯洗浄器具に関し、さらに詳しくは、外部ケースを含むメイン胴体と、前記メイン胴体と結合し、内部流路が内部に形成され、前記内部流路の一端には、少なくとも一つ以上のノズルが開口して形成され、他端には、収容部が形成される洗浄胴体と、前記メイン胴体と前記洗浄体とを結合させ、連結流路が内部に形成され、一側が前記メイン胴体に固定結合され、他側が前記収容部に挿入される連結部と、前記洗浄胴体と前記連結部との間に具備され、内部に中空が形成される第１密閉部とを含み、駆動部とノズルを連結する流路の密閉性能を向上させることで、正圧や負圧の損失を防止し、嗽水や洗浄液の漏水を防止する密閉型の歯洗浄器具に関する。【選択図】なし【特許請求の範囲】
【請求項１】
外部ケースを含むメイン胴体と、
前記メイン胴体と結合し、内部流路が内部に形成され、前記内部流路の一端には、少なくとも一つ以上のノズルが開口して形成され、他端には、収容部が形成される洗浄胴体と、
前記メイン胴体と前記洗浄体とを結合させ、連結流路が内部に形成され、一側が前記メイン胴体に固定結合され、他側が前記収容部に挿入される連結部と、
前記洗浄胴体と前記連結部との間に具備され、内部に中空が形成される第１密閉部とを含むことを特徴とする密閉型の歯洗浄器具。
【請求項２】
前記連結部の外側にフランジが分離可能に結合され、前記フランジが前記収容部に挿入固定することを特徴とする請求項１に記載の密閉型の歯洗浄器具。
【請求項３】
前記第１密閉部と前記フランジには、互いに対応する突出部と陥没部が形成され、前記陥没部に前記突出部が挿入されることを特徴とする請求項２に記載の密閉型の歯洗浄器具。
【請求項４】
前記内部流路、前記中空及び前記連結流路が連結され、連続した流路を形成することを特徴とする請求項１に記載の密閉型の歯洗浄器具。
【請求項５】
前記収容部の内側面には第１係止部が形成され、前記フランジの外側面には係止突起が形成され、前記フランジが前記収容部に挿入されると、前記係止突起が前記第１係止部に係り固定することを特徴とする請求項２に記載の密閉型の歯洗浄器具。
【請求項６】
前記外部ケースと前記連結部との間に第２密閉部が具備され、前記連結部が前記第２密閉部に貫通結合することを特徴とする請求項２に記載の密閉型の歯洗浄器具。
【請求項７】
前記連結部には、前記収容部に挿入されるために所定の高さで突き出した挿入部が形成されることを特徴とする請求項６に記載の密閉型の歯洗浄器具。
【請求項８】
前記挿入部と前記第２密閉部には、互いに対応する第１締結突部と締結ガイド部が形成され、前記挿入部が前記第２密閉部を貫通結合する過程で、前記第１締結突部が前記締結ガイド部に沿って案内された後、前記締結カイド部の末端に係り固定することを特徴とする請求項７に記載の密閉型の歯洗浄器具。
【請求項９】
前記外部ケースの一端には、内側方向に突き出した結合突部が形成され、前記第２密閉部の上端には、前記結合突部と対応する結合凹溝が形成され、前記連結部が前記外部ケースと結合する過程で、前記結合突部が前記結合凹溝に安着することを特徴とする請求項６に記載の密閉型の歯洗浄器具。
【請求項１０】
前記挿入部と前記フランジには、互いに対応する第２締結突部と結合チャンネルが形成され、前記挿入部が前記フランジに結合する過程で、前記第２締結突部が前記結合チャンネルに沿って案内された後、前記結合チャンネルの一側に係り固定することを特徴とする請求項７に記載の密閉型の歯洗浄器具。
【請求項１１】
前記結合チャンネルは、
一端が外側に開口した導入部と、前記導入部から前記フランジと前記連結部との結合方向に延長する延長ガイド部を含むことを特徴とする請求項１０に記載の密閉型の歯洗浄器具。
【請求項１２】
前記延長カイド部の一側には第２係止部が形成され、前記延長カイド部に案内された前記第２締結突部が前記第２係止部を経て安着部に安着することを特徴とする請求項１１に記載の密閉型の歯洗浄器具。
【発明の詳細な説明】
【技術分野】
【０００１】
本発明は、歯洗浄器具に関し、さらに詳しくは、内部に形成された流路を通じて洗浄液を供給したり、口内の流体を外部に排出可能な歯洗浄器具に関する。
【背景技術】
【０００２】
歯を洗浄するための最も一般的な器具は歯ブラシであり、このような歯ブラシ（Ｔｏｏｔｈｂｒｕｓｈ）は、歯の健康管理と衛生清潔のために、歯磨き粉をつけて歯を磨くために使用される道具である。歯ブラシは、スティック状の取っ手部と、取っ手部の先端に形成された胴体に細い毛部材が細かく植毛されるブラシとを含む。
【０００３】
そして、歯を洗浄する時は、歯ブラシのブラシを歯に当てて擦りながら口腔内の嗽水を除去する行動を繰り返し、歯磨きを終えると、洗浄水で口腔内を洗浄し、嗽水を吐き出す。
【０００４】
従来の伝統的な歯ブラシは、歯の洗浄のみを行っていたが、最近では、歯ブラシに形成されたノズルを通じて洗浄液の供給または嗽水の吸入が可能な多機能の歯洗浄器具に対する研究が進んでいる。
【０００５】
一般的に洗浄液を供給したり嗽水を吸入するためには、正圧や負圧が提供可能な別途の駆動部が必要であり、このような駆動部は、歯洗浄器具の内部や外部に取り付けられることができる。
【０００６】
駆動部は、歯ブラシに形成されたノズルと流路を通じて連結され、口内に供給される洗浄液や口内から吸入される嗽水は、駆動部によって形成された正圧や負圧により流路に沿って移動することができる。
【０００７】
一方、歯洗浄器具がノズルから駆動部まで一区間以上で分離可能な構造を有する場合は、流路も連結チューブや内部流路などのような複数のサブ流路間の結合で形成されて、分離可能な構造を有する必要がある。
【０００８】
この場合、サブ流路間に連結部分が存在し、このような連結部分により、駆動部によって提供される圧力がノズルに完全に伝達されず、一部の損失が発生するか、嗽水や洗浄液の漏水が発生するという問題がある。
【先行技術文献】
【特許文献】
【０００９】
【特許文献１】韓国公開特許第１０−２０１２−００８８２５５号公報
【発明の概要】
【発明が解決しようとする課題】
【００１０】
上記のような問題点を解決するための本発明の目的は、駆動部とノズルを連結する流路の密閉性能を向上させることで、正圧や負圧の損失を防止し、嗽水や洗浄液の漏水を防止する密閉型の歯洗浄器具を提供することにある。
【課題を解決するための手段】
【００１１】
上記のような目的を達成するための本発明の一実施例による密閉型の歯洗浄器具は、外部ケースを含むメイン胴体と、前記メイン胴体と結合し、内部流路が内部に形成され、前記内部流路の一端には、少なくとも一つ以上のノズルが開口して形成され、他端には、収容部が形成される洗浄胴体と、前記メイン胴体と前記洗浄体とを結合させ、連結流路が内部に形成され、一側が前記メイン胴体に固定結合され、他側が前記収容部に挿入される連結部と、前記洗浄胴体と前記連結部との間に具備され、内部に中空が形成される第１密閉部とを含むことを特徴とする。
【００１２】
また、本発明の一実施例により、前記連結部の外側にフランジが分離可能に結合され、前記フランジが前記収容部に挿入、固定することを特徴とする。
【００１３】
また、本発明の一実施例による前記第１密閉部と前記フランジには、互いに対応する突出部と陥没部が形成され、前記陥没部に前記突出部が挿入されることを特徴とする。
【００１４】
また、本発明の一実施例により、前記内部流路、前記中空及び前記連結流路が連結され、連続した流路を形成することを特徴とする。
【００１５】
また、本発明の一実施例により、前記収容部の内側面には第１係止部が形成され、前記フランジの外側面には係止突起が形成され、前記フランジが前記収容部に挿入されると、前記係止突起が前記第１係止部に係り固定することを特徴とする。
【００１６】
また、本発明の一実施例により、前記外部ケースと前記連結部との間に第２密閉部が具備され、前記連結部が前記第２密閉部に貫通結合することを特徴とする。
【００１７】
また、本発明の一実施例による前記連結部には、前記収容部に挿入されるために所定の高さで突き出した挿入部が形成されることを特徴とする。
【００１８】
また、本発明の一実施例により、前記挿入部と前記第２密閉部には、互いに対応する第１締結突部と締結ガイド部が形成され、前記挿入部が前記第２密閉部を貫通結合する過程で、前記第１締結突部が前記締結ガイド部に沿って案内された後、前記締結カイド部の末端に係り固定することを特徴とする。
【００１９】
また、本発明の一実施例による前記外部ケースの一端には、内側方向に突き出した結合突部が形成され、前記第２密閉部の上端には、前記結合突部と対応する結合凹溝が形成され、前記連結部が前記外部ケースと結合する過程で、前記結合突部が前記結合凹溝に安着することを特徴とする。
【００２０】
また、本発明の一実施例により、前記挿入部と前記フランジには、互いに対応する第２締結突部と結合チャンネルが形成され、前記挿入部が前記フランジに結合する過程で、前記第２締結突部が前記結合チャンネルに沿って案内された後、前記結合チャンネルの一側に係り固定することを特徴とする。
【００２１】
また、本発明の一実施例による前記結合チャンネルは、一端が外側に開口した導入部と、前記導入部から前記フランジと前記連結部との結合方向に延長する延長ガイド部を含むことを特徴とする。
【００２２】
また、本発明の一実施例により、前記延長カイド部の一側には第２係止部が形成され、前記延長カイド部に案内された前記第２締結突部が前記第２係止部を経て安着部に安着することを特徴とする。
【発明の効果】
【００２３】
本発明では、駆動部のノズルを連結する流路の密閉性能を向上させることで、駆動部で発生する正圧や負圧の損失を防止して、歯洗浄器具の性能を向上させることができ、口内に供給される洗浄液や口内から吸入される嗽水の漏水を防止して、歯洗浄器具の耐久性を向上させることができる。
【００２４】
また、本発明では、外部ケースと連結部との間に発生し得る微細な空間上の離隔を最小化することで、歯洗浄器具の密閉性能をさらに向上させることができる。
【００２５】
さらに、本発明では、簡単な方式で組み立て可能に各構成要素の結合構造を設計し、構成要素が容易に分離することを防止することで、製品の信頼性を向上させることができる。
【図面の簡単な説明】
【００２６】
【図１】本発明の一実施例による密閉型の歯洗浄器具の斜視図である。
【図２】本発明の一実施例による密閉型の歯洗浄器具の分解斜視図である。
【図３】本発明の一実施例による密閉型の歯洗浄器具の断面図である。
【図４】本発明の一実施例による密閉型の歯洗浄器具の部分断面図である。
【図５】本発明の一実施例による密閉型の歯洗浄器具の密閉性能と関連した構成の分解斜視図である。
【図６ａ】本発明の一実施例による密閉型の歯洗浄器具の第１密閉部が含まれた構成の分解斜視図である。
【図６ｂ】図６ａの分解斜視図を他の角度で図示した図面である。
【図６ｃ】図６ａ及び図６ｂの分解斜視図に示した構成が組み立てられた結果を示すための結合斜視図である。
【図７】本発明の一実施例による密閉型の歯洗浄器具の第２密閉部が含まれた構成の分解斜視図である。
【図８ａ】本発明の一実施例による連結部と第２密閉部の分解斜視図である。
【図８ｂ】図８ａの分解斜視図を他の角度で図示した図面である。
【図９】図７の分解斜視図に示した構成が組み立てられた結果を示すための斜視図である。
【図１０】図９で装飾用リングが取り付けられた結果を示す図面である。
【図１１】本発明の一実施例による連結部と洗浄胴体を含む構成の分解斜視図である。
【図１２】本発明の一実施例による連結部とフランジの分解斜視図である。
【図１３ａ】本発明の一実施例による挿入部とフランジが結合する過程で、第２締結突部が移動する過程を順次に示した動作状態図である。
【図１３ｂ】本発明の一実施例による挿入部とフランジが結合する過程で、第２締結突部が移動する過程を順次に示した動作状態図である。
【図１３ｃ】本発明の一実施例による挿入部とフランジが結合する過程で、第２締結突部が移動する過程を順次に示した動作状態図である。
【発明を実施するための形態】
【００２７】
本発明の利点及び特徴、そして、それを達成する方法は、添付の図面と共に詳しく後述される実施例を参照すれば明確になるであろう。
【００２８】
しかし、本発明は、以下で開示する実施例によって限定されるものではなく、互いに異なる多様な形態で実現されるものであり、単に、本実施例は、本発明の開示を完全にし、本発明が属する技術分野で通常の知識を持った者に発明の範疇を完全に知らせるために提供されるものであり、本発明は、請求項の範疇によって定義されるだけである。明細書全体にわたって同一の参照符号は、同一の構成要素を指す。
【００２９】
以下では、添付の図面を参照して本発明の実施例を詳しく説明する。
【００３０】
図１は、本発明の一実施例による密閉型の歯洗浄器具の斜視図である。
【００３１】
図１を参照すると、本発明の一実施例による歯洗浄器具は、大きくメイン胴体２００と洗浄胴体１００とを含む構造を有する。
【００３２】
メイン胴体２００は、外部ケース２０１を含み歯洗浄器具の下部骨格及び外形を形成するもので、使用者が歯洗浄器具を使用する時に実質的に把持する取っ手部分に該当し、洗浄胴体１００は、歯の洗浄が行われる部分である。
【００３３】
洗浄胴体１００は、メイン胴体２００と分離可能に結合することができ、末端には、ブラシ１０３が一方向に形成されるための洗浄ヘッド１０１が具備されことができる。ブラシ１０３は、歯磨きのためのもので、多数個のブラシが束を作って構成され、洗浄ヘッド１０１に分離可能に結合するか、一体で形成されることができる。
【００３４】
ブラシ１０３は、洗浄ヘッド１０１にねじ締結方式で結合するか、圧入や組み立て突起によって結合するなど、通常の結合方法によって洗浄ヘッド１０１に結合することができる。
【００３５】
洗浄ヘッド１０１の外面には、ノズル１０２が形成されることができるが、ノズル１０２は、流路を通じて正圧や負圧を提供する駆動部２７０と連結することができ、高圧の洗浄液を噴射するか、口腔内の嗽水を吸入することができる。
【００３６】
ノズル１０２は、洗浄ヘッド１０１の外周面に向かって放射状に形成することができ、洗浄液の供給や口腔内の嗽水吸入の効率性を高めるために少なくとも一つ以上で形成することができるが、ノズル１０２の形状や個数がこれに制限されるものではない。
【００３７】
メイン胴体２００の外周面には、操作部２１０が具備されることができるが、操作部２１０は、駆動部２７０を作動するための一種のスイッチであることができ、発光装置を操作するか振動モータ２４０を稼動させて歯ブラシに振動を発生させるなどの歯洗浄器具の操作を行うことができる。
【００３８】
操作部２１０は、ボタン型で形成されることができるが、これに制限されず、タッチ方式やスライド方式などの多様な作動方式を実現するための構造で形成することができる。
【００３９】
図２は、本発明の一実施例による密閉型の歯洗浄器具の分解斜視図であり、図３は、本発明の一実施例による密閉型の歯洗浄器具の断面図である。
【００４０】
図２及び図３を参照すると、本発明の一実施例による密閉型の歯洗浄器具は、メイン胴体２００と洗浄胴体１００とを含み、洗浄液を供給するための正圧や嗽水を吸入するための負圧を供給するための駆動部２７０、メイン胴体２００と洗浄胴体１００とを結合させるための連結部２２０、口腔内を明かすために光を照射する発光部２５０、洗浄胴体１００に振動をかけるための振動モータ２４０、電力を供給するための電源部２６０、操作部２１０と連結され、駆動部２７０や発光部２５０などを制御するための制御部３００、メイン胴体２００に組み込まれた部品を固定させるための第１ブラケット２８０と第２ブラケット２９０、オーリングが結合されたノズル部３１０、オーリングが結合されたＤＣカバー部３２０、ＤＣカバー部３２０をガイドするためのＤＣカバーカイド部３３０、メイン胴体の底に取り付けられる底ケース３４０、ブラケットを組み立てるためのねじ部２０などの細部構成を含むことができる。
【００４１】
参考として、上記図面では、駆動部２７０や電源部２６０などの細部構成が洗浄胴体１００の内部に具備されたと図示されているが、必要に応じて、洗浄胴体１００の外部に位置可能なことはもちろん、各構成に対する基本的な機能や構造は広く知られているので、これに対する詳しい説明は省略する。
【００４２】
図４は、本発明の一実施例による密閉型の歯洗浄器具の部分断面図である。
【００４３】
図４を参照すると、洗浄胴体１００は、長いバー（ｂａｒ）状で形成されることができ、一端には、ブラシ１０３が結合する洗浄ヘッド１０１が形成され、内部には、所定の長さで洗浄胴体１００の長さ方向に延長形成された内部流路１０４が具備されることができる。
【００４４】
連結部２２０は、メイン胴体２００と洗浄胴体１００とを結合させ、連結流路２２１が内部に形成され、一側がメイン胴体２００に固定結合され、他側が収容部１０５に挿入されることができる。
【００４５】
洗浄胴体１００と連結部２２０との間には、内部に中空１１１が形成される第１密閉部１１０が具備されることができ、前記第１密閉部１１０は、前記洗浄胴体１００の内部流路１０４と前記連結部２２０の連結流路２２１との間に微細な空間上の離隔が発生することを防止することで、密閉性能を向上させることができる。
【００４６】
第１密閉部１１０は、サブ流路間の密閉性能を最大化するために、弾性を持った材質で形成されることが好ましく、さらに詳しくは、シリコンやラバー系列等の弾性体を適用することができるが、これに制限されるものではない。
【００４７】
図５は、本発明の一実施例による密閉型の歯洗浄器具の密閉性能と関連した構成の分解斜視図である。
【００４８】
図５を参照すると、連結部２２０が外部ケース２０１の内部で第２密閉部２３０を貫通して外部ケース２０１と結合し、外部ケース２０１の外部に一部突き出した連結部２２０がフランジ１２０と結合し、フランジ１２０が第１密閉部１１０及び洗浄胴体１００と順次結合する構造を有するが、各構成間の結合構造については、以下で詳しく説明する。
【００４９】
図６ａは、本発明の一実施例による密閉型の歯洗浄器具の第１密閉部１１０が含まれた構成の分解斜視図であり、図６ｂは、図６ａの分解斜視図を他の角度で図示した図面であり、図６ｃは、図６ａ及び図６ｂの分解斜視図に示した構成が組み立てられた結果を示すための結合斜視図である。
【００５０】
図６ａ〜図６ｃを参照すると、洗浄胴体１００は、内部に内部流路１０４が形成され、他端には第１密閉部１１０とフランジ１２０が取り付けられるための空間を提供する収容部１０５が形成されることができる。収容部１０５は、両末端が開放された構造を有するが、一端は外側に開口して形成され、他端は内部流路１０４と連結することができる。
【００５１】
第１密閉部１１０は、収容部の他端１０６に前記第１密閉部の上面１１２が接触するように収容部１０５の内部に挿入されることができ、前記第１密閉部１１０の下面にはフランジ１２０が結合することができる。
【００５２】
フランジ１２０は、連結部２２０が内部に挿入貫通を可能にする中が空いた中空状を有することができ、連結部２２０の外側に分離可能に結合することができる。前記フランジ１２０が前記収容部１０５に挿入固定することで、第１密閉部１１０を洗浄胴体１００の内部流路１０４方向に加圧して密閉性能をさらに向上させることができる。
【００５３】
一方、フランジ１２０の末端には、所定の高さで突出部１２２が形成され、第１密閉部１１０の下面には、前記突出部１２２と対応する陥没部１１３を形成されることができ、前記陥没部１１３に前記突出部１２２が挿入されることで、前記第１密閉部１１０と前記フランジ１２０が結合できる。
【００５４】
具体的に、前記第１密閉部１１０の内部には中空１１１が形成され、中空１１１の外径を取り囲むように前記第１密閉部１１０の外側面が下方に湾曲して陥没部１１３が形成されることができ、前記フランジ１２０の末端には、前記フランジ１２０の外径に沿って前記陥没部１１３の高さと対応して突出部１２２が形成されることができ、前記陥没部１１３に前記突出部１２２が挿入されることができる。
【００５５】
図面上では、フランジ１２０に突出部１２２が形成され、第１密閉部１１０に陥没部１１３が形成されると図示されているが、これは、一例示に該当するものであり、フランジ１２０に陥没部１１３が形成され、第１密閉部１１０に突出部１２２が形成されることも可能である。
【００５６】
フランジ１２０は、外側面に沿って突き出した係止突起１２１が形成されることができ、収容部１０５の内側面には、中心方向に突き出した第１係止部１０７が形成されることができるが、前記フランジ１２０が前記収容部１０５に挿入されると、前記フランジ１２０の係止突起１２１が前記第１係止部１０７に係り固定することができる。
【００５７】
この時、第１係止部１０７は、フランジ１２０の挿入方向に沿って曲面状で形成され、フランジ１２０の離脱方向に沿って直交状に形成されることが好ましいが、フランジ１２０が収容部１０５の内側面に挿入される場合は、前記フランジ１２０の係止突起１２１が比較的容易に通ることができ、前記フランジ１２０が前記収容部１０５の内側面に挿入された後は、前記フランジ１２０が離脱することを効率的に防止することができる。
【００５８】
図７は、本発明の一実施例による密閉型の歯洗浄器具の第２密閉部が含まれた構成の分解斜視図であり、図８ａは、本発明の一実施例による連結部と第２密閉部の分解斜視図であり、図８ｂは、図８ａの分解斜視図を他の角度で図示した図面である。
【００５９】
図７、図８ａ及び図８ｂを参照すると、外部ケース２０１と連結部２２０との間には内部が空いている中空状の第２密閉部２３０が具備されることができ、前記連結部２２０が前記第２密閉部２３０の内周面に貫通結合することができる。従って、前記第２密閉部２３０は、前記外部ケース２０１と前記連結部２２０との間に微細な空間上の離隔が発生することを防止することで、密閉性能をさらに向上させることができる。
【００６０】
第２密閉部２３０は、このような密閉性能を最大化するために、弾性を持った材質で形成されることが好ましく、さらに詳しくは、シリコンやラバー系列等の弾性体を適用することができるが、これに制限されるものではない。
【００６１】
一方、連結部２２０には、収容部１０５に挿入するために所定の高さで突出形成された挿入部２２２が形成されることができ、前記挿入部２２２は、前記第２密閉部２３０を貫通する。前記連結部２２０の一端には、略円板状で形成されたプレート部２２５が形成されることができ、前記プレート部２２５の下面には、メイン胴体２００の内部に位置し、交替可能な連結チューブ３０が結合可能なチューブ延長部２２６が形成されることができる。
【００６２】
挿入部２２２の外側面には、所定の高さと長さを持った第１締結突部２２３が形成され、前記第２密閉部２３０の内側面には、前記第１締結突部２２３と対応する締結カイド部２３２が形成されることができ、前記挿入部２２２が前記第２密閉部２３０を貫通結合する過程で、前記第１締結突部２２３が前記締結カイド部２３２に沿って案内された後、前記締結カイド部２３２の末端に係り固定することができる。
【００６３】
前記第１締結突部２２３と前記締結カイド部２３２の長さは、同一であることが好ましく、この場合、前記第２密閉部２３０と前記連結部２２０との離隔なしに前記第２密閉部２３０と前記連結部２２０のプレート部２２５とが接触することで、密閉性能をさらに向上させることができる。
【００６４】
連結部２２０には振動モータ２４０が取り付けられることができ、振動モータ２４０から発生する振動が連結部２２０をよって伝達されて洗浄胴体１００に伝達されることができる。つまり、前記連結部２２０は、前記メイン胴体２００と前記洗浄胴体１００とを結合させるだけでなく、必要に応じて振動モータ２４０を具備し、振動モータ２４０から発生する振動を洗浄胴体１００方向に伝達することができる。
【００６５】
挿入部２２２の外側面には、後述する第２締結突部２２４が形成されることができるが、前記第２締結突部２２４は、前記第１締結突部２２３の上部方向に所定の間隔で離隔して形成されることで、前記締結カイド部２３２に引っかかることなく通れるように、前記第１締結突部２２３と比べて突出のさが低いことが好ましい。
【００６６】
外部ケース２０１の一端には、内側方向に突き出した結合突部２０３が形成され、前記第２密閉部２３０の上端には、前記結合突部２０３と対応する結合凹溝２３１が形成され、前記連結部２２０が前記外部ケース２０１と結合する過程で、前記結合突部２０３が前記結合凹溝２３１に安着することができる。
【００６７】
結合突部２０３は、互いに対向する方向に複数個で形成されることができ、結合凹溝２３１は、前記結合突部２０３の個数と位置に対応して形成されることができる。前記結合凹溝２３１は、前記第２密閉部２３０の上面で所定の大きさを有するように形成され、前記結合突部２０３の大きさに対応して形成され、前記外部ケース２０１と前記連結部２２０との間の空間上の離隔を最小化することが好ましい。
【００６８】
図９は、図７の分解斜視図に示した構成が組み立てられた結果を示すための結合斜視図である。
【００６９】
図９を参照すると、外部ケース２０１の外部に連結部２２０の挿入部２２２が突出し、前記外部ケース２０１と前記連結部２２０との間に第２密閉部２３０が取り付けられ、外部ケース２０１の内部空間を密閉させ、前記挿入部２２２の外周面に形成された第２締結突部２２４が露出される。
【００７０】
外部ケース２０１の一端には、装飾用リング１０が取り付けられるための溝部２０２が形成されることができ、図１０は、図９で装飾用リングが取り付けられた結果を示す図面である。
【００７１】
図１１は、本発明の一実施例による連結部と洗浄胴体が含まれた構成の分解斜視図であり、図１２は、本発明の一実施例による連結部とフランジの分解斜視図である。
【００７２】
図１１及び図１２を参照すると、挿入部２２２の外側面に沿って第２締結突部２２４が形成され、前記フランジ１２０の内側面には結合チャンネル１２３が形成され、前記挿入部２２２が前記フランジ１２０に結合する過程で、前記第２締結突部２２４が前記結合チャンネル１２３に沿って案内された後、前記結合チャンネル１２３の一側に係り固定することで、前記連結部２２０と前記フランジ１２０とが結合することができる。
【００７３】
前記挿入部２２２は、第２締結突部２２４が前記結合チャンネル１２３に沿ってスライドするように前記フランジ１２０の内部に移動し、適正位置までスライドした後、前記挿入部２２２を回転させて前記第２締結突部２２４を前記結合チャンネル１２３の一側に係り固定させる。
【００７４】
このような過程を通じて、前記洗浄胴体１００の内部流路１０４と、前記第１密閉部１１０の中空１１１、及び前記連結部２２０の連結流路２２１は、互いに連結して連続した流路を形成することができる。
【００７５】
前記連続した流路は、前記連結部２２０のチューブ延長部２２６、前記チューブ延長２２６に交替可能に結合された連結チューブ３０で延長形成することができ、前記駆動部２７０を経て吸入のための連結チューブや排出のための連結チューブなどで拡張されることができる。
【００７６】
図１３ａ〜図１３ｃは、本発明の一実施例による挿入部２２２とフランジ１２０が結合する過程で、第２締結突部２２４が移動する過程を順次示した動作状態図である。
【００７７】
図１３ａ〜図１３ｃを参照すると、前記結合チャンネル１２３は、一端が外側に開口した導入部１２３ａと、前記導入部１２３ａから前記フランジ１２０と前記連結部２２０の結合方向に延長する延長カイド部１２３ｂを含むことができる。
【００７８】
結合するために、先ず、前記挿入部２２２が前記フランジ１２０に向かった状態で前記連結部２２０と前記フランジ１２０が互いに近づく方向に移動される。この時、前記連結部２２０の第２締結突部２２４は、前記フランジ１２０の結合チャンネル１２３に向かった状態であるが、さらに正確には、図１３ａに示すように、結合チャンネル１２３の導入部１２３ａを通じて第２締結突部２２４が前記フランジ１２０の内側に挿入される。
【００７９】
そして、前記連結部２２０と前記フランジ１２０が互いに近づく方向に移動し続ければ、図１３ｂに示すように、前記第２締結突部２２４は、前記導入部１２３ａから前記フランジ１２０と前記連結部２２０との結合方向に延長形成された延長カイド部１２３ｂに沿って移動する。
【００８０】
この状態で、前記連結部２２０の挿入部２２２と前記フランジ１２０を前記フランジ１２０の長さ方向を回転軸として相対回転させれば、前記第２締結突部２２４は、前記フランジ１２０の延長カイド部１２３ｂの一側に形成された第２係止部１２４に乗って越えるようになる。
【００８１】
そして、前記第２締結突部２２４が前記第２係止部１２４を完全に通れば、図１３ｃに示すように、前記第２締結突部２２４は、安着部１２５に安着することで、前記フランジ１２０と前記連結部２２０とが結合することができ、これにより、反対方向に任意に回転することを防止することができる。
【００８２】
この時、前記安着部１２５は、前記フランジ１２０を延長カイド部１２３ｂと第２係止部１２４の外側面によって任意の大きさに開口して形成されることができる。
【００８３】
これにより、三つの側面が開放した前記第２係止部１２４は、前記フランジ１２０の外側方向に所定の高さで移動することが可能であり、前記第２締結突部２２４が前記第２係止部１２４を通る時、前記第２係止部１２４は、前記フランジ１２０の外側方向に若干押されながら、前記第２締結突部２２４を容易に安着部１２５に安着させることができる。
【００８４】
この時、前記第２係止部１２４は、前記延長カイド部１２３ｂと前記安着部１２５方向にそれぞれ傾斜して形成されることができ、前記挿入部２２２が前記フランジ１２０に容易に結合し、容易に分離することを防止するために、前記延長カイド部１２３ｂ方向の傾斜を前記安着部１２５方向の傾斜より緩やかに形成させることが好ましい。
【００８５】
以上で、本発明による実施例を構成する全ての構成要素が一つに結合するか、結合して動作すると説明されたからといって、本発明が必ずしもこのような実施例に限定されるものではない。即ち、本発明の目的範囲内であれば、その全ての構成要素が一つ以上に選択的に結合して動作することもできる。また、以上で記載された「含む」、「構成する」または「有する」などの用語は、特に反対の記載がない限り、当該構成要素が内在可能なことを意味するので、他の構成要素を除外するのではなく、他の構成要素をさらに含むことができると解釈されなければならない。技術的または科学的な用語を含む全ての用語は、他に定義されない限り、本発明が属する技術分野で通常の知識を持った者によって一般的に理解されるものと同一の意味がある。辞書に定義された用語のように一般的に使用される用語は、関連技術の文脈内の意味と一致すると解釈されなければならず、本発明で明らかに定義しない限り、理想的または過度に形式的な意味で解釈されない。
【符号の説明】
【００８６】
１０：装飾用リング
２０：ねじ部
３０：連結チューブ
１００：洗浄胴体
１０１：洗浄ヘッド
１０２：ノズル
１０３：ブラシ
１０４：内部流路
１０５：収容部
１０６：収容部の他端
１０７：第１係止部
１１０：第１密閉部
１１１：中空
１１２：第１密閉部の上面
１１３：陥没部
１２０：フランジ
１２１：係止突起
１２２：突出部
１２３：結合チャンネル
１２３ａ：導入部
１２３ｂ：延長カイド部
１２４：第２係止部
１２５：安着部
２００：メイン胴体
２０１：外部ケース
２０２：溝部
２０３：結合突部
２１０：操作部
２２０：連結部
２２１：連結流路
２２２：挿入部
２２３：第１締結突部
２２４：第２締結突部
２２５：プレート部
２２６：チューブ延長部
２３０：第２密閉部
２３１：結合凹溝
２３２：締結カイド部
２４０：振動モータ
２５０：発光部
２６０：電源部
２７０：駆動部
２８０：第１ブラケット
２９０：第２ブラケット
３００：制御部
３１０：ノズル部
３２０：ＤＣカバー部
３３０：ＤＣカバーカイド部
３４０：底ケース
【図１】
2019500973.tif 000002
【図２】
2019500973.tif 000003
【図３】
2019500973.tif 000004
【図４】
2019500973.tif 000005
【図５】
2019500973.tif 000006
【図６ａ】
2019500973.tif 000007
【図６ｂ】
2019500973.tif 000008
【図６ｃ】
2019500973.tif 000009
【図７】
2019500973.tif 000010
【図８ａ】
2019500973.tif 000011
【図８ｂ】
2019500973.tif 000012
【図９】
2019500973.tif 000013
【図１０】
2019500973.tif 000014
【図１１】
2019500973.tif 000015
【図１２】
2019500973.tif 000016
【図１３ａ】
2019500973.tif 000017
【図１３ｂ】
2019500973.tif 000018
【図１３ｃ】
2019500973.tif 000019
【国際調査報告】
2019500973.tif 000020
2019500973.tif 000021
2019500973.tif 000022
2019500973.tif 000023